(57)【特許請求の範囲】
【請求項１】
モバイルハンドオーバーのための方法であって、該方法は、
ネットワークコントローラから、ネットワーク登録リクエストに対する応答を受信することであって、該応答は、ハンドオーバー手順の間に移動局によって報告されるべきでないセルのタイプを示すためのインジケータを含む、ことと、
該インジケータによって許可されたセルを示すハンドオーバーメッセージを送信することと
を含む、方法。
【請求項２】
前記ハンドオーバーメッセージは、セルの識別の報告を含み、前記移動局は、該セルに対してハンドオーバーされ得る、請求項１に記載の方法。
【請求項３】
前記ハンドオーバーメッセージは、候補のセル識別子のリストを含む、請求項１に記載の方法。
【請求項４】
前記候補のセル識別子のリストは、第３世代（３Ｇ）セルまたは第２世代（２Ｇ）セルを識別する、請求項３に記載の方法。
【請求項５】
前記ハンドオーバーメッセージは、セルの追加のタイプを識別する候補のセル識別子の第２のリストを含む、請求項４に記載の方法。
【請求項６】
前記インジケータは、少なくとも２つのタイプのセルが報告され得ることを示す、請求項１に記載の方法。
【請求項７】
前記インジケータによって示された前記タイプのセルを測定することと、測定報告を生成することとをさらに含む、請求項１に記載の方法。
【請求項８】
前記ハンドオーバーメッセージは、前記測定報告を含む、請求項７に記載の方法。
【請求項９】
前記ハンドオーバーメッセージは、前記インジケータによって許可された前記セルに対するセル情報を含む、請求項１に記載の方法。
【請求項１０】
前記セル情報は、前記インジケータによって示された前記タイプの前記セルに対する受信信号レベルを含む、請求項９に記載の方法。
【請求項１１】
前記タイプのセルは、第２世代（２Ｇ）セルまたは第３世代（３Ｇ）セルである、請求項１に記載の方法。
【請求項１２】
前記応答は、セルのタイプが報告されることを示すものをさらに含む、請求項１から請求項１１のいずれか一項に記載の方法。
【請求項１３】
ネットワーク登録リクエストに対する応答を移動局に伝送することであって、該応答は、ハンドオーバー手順の間に該移動局によって報告されるべきでないセルのタイプを示すためのインジケータを含む、ことと、
該移動局から、該インジケータによって許可されたセルを示すハンドオーバーメッセージを受信することと
を含む、方法。
【請求項１４】
プロセッサを含むネットワーク要素であって、
該プロセッサは、
ネットワーク登録リクエストに対する応答を移動局に伝送することであって、該応答は、ハンドオーバー手順の間に該移動局によって報告されるべきでないセルのタイプを示すためのインジケータを含む、ことと、
該移動局から、該インジケータによって許可されたセルを示すハンドオーバーメッセージを受信することと
を行うように構成されている、ネットワーク要素。
【請求項１５】
プロセッサを含む移動局であって、
該プロセッサは、
ネットワークコントローラから、ネットワーク登録リクエストに対する応答を受信することであって、該応答は、ハンドオーバー手順の間に該移動局によって報告されるべきでないセルのタイプを示すためのインジケータを含む、ことと、
該インジケータによって許可されたセルを示すハンドオーバーメッセージを送信することと
を行うように構成されている、移動局。
【発明の詳細な説明】
【技術分野】
【０００１】
（関連出願）
本特許は、２００９年６月１２日に出願した「ＭＥＴＨＯＤＳ  ＡＮＤ  ＡＰＰＡＲＡＴＵＳ  ＦＯＲ  ＭＡＮＡＧＩＮＧ  ＭＯＢＩＬＥ  ＨＡＮＤＯＶＥＲ」という名称の米国仮出願第６１／１８６，７８９号から優先権を主張する。米国仮出願第６１／１８６，７８９号は、全体として参照することによって本明細書において援用される。
【０００２】
（本開示の分野）
本開示は、概してモバイル通信に関し、より具体的には、モバイルハンドオーバーを管理するための方法および装置に関する。
【背景技術】
【０００３】
（背景）
一般的アクセスネットワーク（ＧＡＮ）は、モバイルデバイスがインターネットプロトコール（ＩＰ）接続、例えば、ライセンスのないスペクトルにおいて無線通信プロトコール（例えば、ＩＥＥＥ８０２．１１）を使用するネットワークを介して、セルラーコアネットワークに接続することを可能にすることによってモバイル通信ネットワークを拡張する。またライセンスのないモバイルアクセス（ＵＭＡ）ネットワークとして知られ得るＧＡＮは、セルラーアクセスポイントに加えて、モバイルデバイスにネットワークアクセスポイントを提供するために利用される。例えば、ＧＡＮは、インターネットのような公共インターネットプロトコール（ＩＰ）接続を介してモバイル通信ネットワークに接続されるＷｉＦｉアクセスポイントを介するアクセスを提供し得る。ＧＡＮは、ＧＡＮ−Ｃとして知られたコントローラによって管理される、ＧＡＮ−Ｃは、モバイル通信ネットワークとモバイルデバイスとの間の双方向通信を管理する。
【０００４】
モバイルデバイスとモバイル通信ネットワークとの間の継続中の通信を管理することに加えて、ＧＡＮ−Ｃはまた、セルラーアクセスポイントを介するモバイル通信ネットワークとの通信を確立し、ＧＡＮを介して通信を終結するモバイルデバイスのプロセスを管理する（例えば、セルラーとＧＡＮネットワークとの間のユーザー機器（ＵＥ）移動手順（ハンドオーバーとして知られる）を管理する）。ハンドオーバーの間に、モバイルデバイスは、利用可能なセルのリストを測定し、モバイルデバイスがセルのうちの特定の１つに接続することを命令することによって応答するＧＡＮ−Ｃに送信する。次に、モバイルデバイスは、セルのうちの特定の１つを介するモバイル通信ネットワークとの通信を確立する。ＧＡＮ−Ｃは、通信ネットワークの能力に基づいてセルのうちの特定の１つを選択し得る。例えば、ＧＡＮ−Ｃが第２世代（２Ｇ）ネットワークに対してハンドオーバーのみを処理し得、モバイルデバイスがモバイル通信のためのグローバルシステム（ＧＳＭ（登録商標））、一般パケット無線サービス、グローバルエボリューションのための増強したデータレート（ＥＤＧＥ）、ＧＳＭ（登録商標）  ＥＤＧＥ無線アクセスネットワーク（ＧＥＲＡＮ）等のような２Ｇネットワークと、ユニバーサルモバイル電気通信システム（ＵＭＴＳ）のような第３世代（３Ｇ）ネットワークとの両方に送信する場合に、ＧＡＮ−Ｃは、モバイルデバイスをハンドオーバーするために、２Ｇネットワークのうちの１つを選択する。
【発明の概要】
【課題を解決するための手段】
【０００５】
モバイルハンドオーバーを管理するための方法および装置が開示される。本明細書に開示された例の移動局は、有形のコンピュータ読み取り可能な媒体に格納されたハードウェアおよびソフトウェア含み、ハードウェアおよびソフトウェアは、動作の間に、移動局に、ネットワークコントローラから、ネットワーク登録リクエストへの応答を受信することであって、応答は、ハンドオーバー手順の間に移動局によって報告され得るセルのタイプを示すためのインジケータを含む、ことと、インジケータによって可能にされるセルを示すハンドオーバーメッセージを送信することとをさせる。
【０００６】
いくつかのインプリメンテーションにおいて、ハンドオーバーメッセージは、セルの識別の報告を含み、移動局は、セルに対してハンドオーバーされ得る。いくつかのインプリメンテーションにおいて、ハンドオーバーメッセージは、候補のセル識別子のリストを含む。
【０００７】
移動局のいくつかのインプリメンテーションにおいて、ハンドオーバーメッセージは、候補のセル識別子の第１のリストと候補のセル識別子の第２のリストとを含む。いくつかのこのようなインプリメンテーションにおいて、候補のセル識別子の第１のリストは、第３世代（３Ｇ）セルを識別し、第２のリストは、第２世代（２Ｇ）セルを識別する。
【０００８】
インジケータは、少なくとも２つのタイプのセルが報告され得ることを示し得る。いくつかのインプリメンテーションにおいて、ハードウェアおよびソフトウェアはさらに、測定報告を生成するために、移動局に、インジケータによって示されたタイプのセルを測定させる。いくつかのこのようなインプリメンテーションにおいて、ハンドオーバーメッセージは、測定報告を含む。移動局のいくつかのインプリメンテーションにおいて、ハンドオーバーメッセージは、インジケータによって示されたタイプのセルに対するセル情報を含む。いくつかのこのようなインプリメンテーションにおいて、セル情報は、インジケータによって示されたタイプのセルに対する受信された信号レベルを含む。
【０００９】
いくつかのインプリメンテーションにおいて、インジケータは、第２世代（２Ｇ）セルが報告され得るか否かを示すための第１のインジケータであり、応答は、第３世代（３Ｇ）セルが報告され得るか否かを示すための第２のインジケータを含む。いくつかのインプリメンテーションにおいて、インジケータは、セルのタイプが報告され得る表示、またはセルのタイプが報告されるべきではない表示のうちの少なくとも１つである。
【００１０】
本明細書に開示された例のネットワーク機器は、移動局にネットワーク登録リクエストへの応答を伝送することであって、応答は、ハンドオーバー手順の間に移動局によって報告され得るセルのタイプを示すためのインジケータを含む、ことと、移動局から、インジケータによって可能にされるセルを示すハンドオーバーメッセージを受信することとを行うセルサポート決定子を含む。いくつかのインプリメンテーションにおいて、ハンドオーバーメッセージは、セルの識別の報告を含み、移動局は、セルに対してハンドオーバーされ得る。いくつかのインプリメンテーションにおいて、ハンドオーバーメッセージは、候補のセル識別子のリストを含む。
【００１１】
いくつかのインプリメンテーションにおいて、ハンドオーバーメッセージは、候補のセル識別子の第１のリストと候補のセル識別子の第２のリストとを含む。いくつかのこのようなインプリメンテーションにおいて、候補のセル識別子の第１のリストは、第３世代（３Ｇ）セルを識別し、第２のリストは、第２世代（２Ｇ）セルを識別する。いくつかのインプリメンテーションにおいて、インジケータは、少なくとも２つのタイプのセルが報告され得ることを示す。いくつかのインプリメンテーションにおいて、ハンドオーバーメッセージは、測定報告を含む。
【００１２】
いくつかのインプリメンテーションにおいて、ハンドオーバーメッセージは、インジケータによって可能にされたセルに対するセル情報を含む。いくつかのこのようなインプリメンテーションにおいて、セル情報は、インジケータによって示されたセルに対する受信された信号レベルを含む。いくつかのインプリメンテーションにおいて、インジケータは、第２世代（２Ｇ）セルが報告され得るか否かを示すための第１のインジケータであり、応答は、第３世代（３Ｇ）セルが報告され得るか否かを示すための第２のインジケータを含む。いくつかのインプリメンテーションにおいて、インジケータは、セルのタイプが報告され得る表示、またはセルのタイプが報告されるべきではない表示のうちの少なくとも１つである。
【００１３】
移動局およびネットワーク機器をインプリメントするための方法が開示される。
【００１４】
例の移動局は、有形のコンピュータ読み取り可能な媒体に格納されたハードウェアおよびソフトウェア含み、ハードウェアおよびソフトウェアは、動作の間に、移動局に、一般的アクセスネットワークコントローラから、ネットワーク登録リクエストへの応答を受信することであって、応答は、ハンドオーバー手順の間に移動局によって報告され得る無線アクセステクノロジーのタイプを示すためのインジケータを含む、ことと、応答からインジケータを検索することとをさせる。いくつかのインプリメンテーションにおいて、移動局のハードウェアおよびソフトウェアはさらに、動作の間に、移動局に、インジケータに基づいて候補のセルのリストを一般的アクセスネットワークコントローラに送信させる。
【００１５】
移動局のいくつかのインプリメンテーションにおいて、一般的アクセスネットワークコントローラは、ライセンスのないモバイルアクセスコントローラである。無線アクセステクノロジーは、第２世代無線アクセステクノロジーまたは第３世代無線アクセステクノロジーのうちの少なくとも１つを含み得る。いくつかのインプリメンテーションにおいて、無線アクセステクノロジーは、グローバルエボリューション無線アクセスネットワークのためのモバイル通信増強したデータレートのグローバルシステム、またはユニバーサルモバイル電気通信システムのうちの少なくとも１つを含み得る。
【００１６】
ネットワーク登録リクエストは、一般的アクセスリソースコントロール登録リクエストであり得る。さらに、または代替的に、応答は、一般的アクセスリソースコントロール登録受け入れメッセージであり得る。
【００１７】
移動局のもう１つのインプリメンテーションは、有形のコンピュータ読み取り可能な媒体に格納されたハードウェアおよびソフトウェア含み、ハードウェアおよびソフトウェアは、動作の間に、移動局に、一般的アクセスネットワークコントローラから、ネットワーク登録更新メッセージを受信することであって、ネットワーク登録更新メッセージは、ハンドオーバー手順の間に移動局によって報告され得る無線アクセステクノロジーのタイプを示すためのインジケータを含む、ことと、ネットワーク登録更新メッセージからインジケータを検索することとをさせる。
【００１８】
例の一般的アクセスネットワークコントローラは、有形のコンピュータ読み取り可能な媒体に格納されたハードウェアおよびソフトウェア含み、ハードウェアおよびソフトウェアは、動作の間に、一般的アクセスネットワークコントローラに、移動局から、一般的アクセスネットワーク登録リクエストを受信させ、かつ一般的ネットワーク登録リクエストへの応答を提供させ、応答は、ハンドオーバー手順の間に移動局によって報告され得る無線アクセステクノロジーのタイプを示すためのインジケータを含む。いくつかのインプリメンテーションにおいて、一般的アクセスネットワークコントローラは、ライセンスのないモバイルアクセスコントローラである。無線アクセステクノロジーは、第２世代無線アクセステクノロジーまたは第３世代無線アクセステクノロジーのうちの少なくとも１つを含み得る。
【００１９】
例の一般的アクセスネットワークコントローラにおいて、無線アクセステクノロジーは、グローバルエボリューション無線アクセスネットワーク（ＧＥＲＡＮ）のためのモバイル通信増強したデータレートのグローバルシステム、またはユニバーサルモバイル電気通信システムのうちの少なくとも１つを含み得る。いくつかのインプリメンテーションにおいて、応答は、一般的アクセスリソースコントロール登録受け入れメッセージであり得る。
【００２０】
一般的アクセスネットワークコントローラのもう１つのインプリメンテーションは、有形のコンピュータ読み取り可能な媒体に格納されたハードウェアおよびソフトウェア含み、ハードウェアおよびソフトウェアは、動作の間に、一般的アクセスネットワークコントローラに、移動局から、一般的アクセスネットワーク登録リクエストを受信させ、かつ一般的ネットワーク登録更新を提供させ、一般的ネットワーク登録更新は、ハンドオーバー手順の間に移動局によって報告され得る無線アクセステクノロジーのタイプを示すためのインジケータを含む。
【００２１】
また、本明細書に説明されるのは、方法、命令を格納するコンピュータ読み取り可能な媒体、並びに上記移動局、移動局によって行われるプロセス、一般的なアクセスネットワークコントローラ、および一般的アクセスネットワークコントローラによって行われるプロセスをインプリメントし得る装置である。
本願発明は、例えば、以下の項目を提供する。
（項目１）
ハードウェアと、有形のコンピュータ読み取り可能な媒体に格納されたソフトウェアとを含む移動局であって、該ハードウェアおよび該ソフトウェアは、動作の間に、
ネットワークコントローラから、ネットワーク登録リクエストへの応答を受信することであって、該応答は、ハンドオーバー手順の間に該移動局によって報告され得るセルのタイプを示すためのインジケータを含む、ことと、
該インジケータによって許可されたセルを示すハンドオーバーメッセージを送信することと
を該移動局に行わせる、移動局。
（項目２）
前記ハンドオーバーメッセージは、セルの識別の報告を含み、前記移動局は、該セルに対してハンドオーバーされ得る、項目１に記載の移動局。
（項目３）
前記ハンドオーバーメッセージは、候補のセル識別子のリストを含む、項目１に記載の移動局。
（項目４）
前記ハンドオーバーメッセージは、候補のセル識別子の第１のリストと候補のセル識別子の第２のリストとを含む、項目１に記載の移動局。
（項目５）
前記候補のセル識別子の第１のリストは、第３世代（３Ｇ）セルを識別し、前記第２のリストは、第２世代（２Ｇ）セルを識別する、項目４に記載の移動局。
（項目６）
前記インジケータは、少なくとも２つのタイプのセルが報告され得ることを示す、項目１に記載の移動局。
（項目７）
前記ハードウェアおよび前記ソフトウェアはさらに、前記移動局に、前記インジケータによって示された前記タイプのセルを測定させ、かつ測定報告を生成させる、項目１に記載の移動局。
（項目８）
前記ハンドオーバーメッセージは、前記測定報告を含む、項目７に記載の移動局。
（項目９）
前記ハンドオーバーメッセージは、前記インジケータによって示された前記タイプの前記セルに対するセル情報を含む、項目１に記載の移動局。
（項目１０）
前記セル情報は、前記インジケータによって示された前記タイプの前記セルに対する受信された信号レベルを含む、項目９に記載の移動局。
（項目１１）
前記インジケータは、第２世代（２Ｇ）セルが報告され得るか否かを示すための第１のインジケータであり、前記応答は、第３世代（３Ｇ）セルが報告され得るか否かを示すための第２のインジケータを含む、項目１に記載の移動局。
（項目１２）
前記インジケータは、セルのタイプが報告され得る表示、またはセルのタイプが報告されるべきではない表示のうちの少なくとも１つである、項目１に記載の移動局。
（項目１３）
モバイルハンドオーバーを管理するための方法であって、該方法は、
ネットワークコントローラから、ネットワーク登録リクエストへの応答を受信することであって、該応答は、ハンドオーバー手順の間に移動局によって報告され得るセルのタイプを示すためのインジケータを含む、ことと、
該インジケータによって可能にされるセルを示すハンドオーバーメッセージを送信することと
を含む、方法。
（項目１４）
前記ハンドオーバーメッセージは、セルの識別の報告を含み、前記移動局は、該セルに対してハンドオーバーされ得る、項目１３に記載の方法。
（項目１５）
前記ハンドオーバーメッセージは、候補のセル識別子のリストを含む、項目１３に記載の方法。
（項目１６）
前記ハンドオーバーメッセージは、候補のセル識別子の第１のリストと候補のセル識別子の第２のリストとを含む、項目１３に記載の方法。
（項目１７）
前記候補のセル識別子の第１のリストは、第３世代（３Ｇ）セルを識別し、前記第２のリストは、第２世代（２Ｇ）セルを識別する、項目１６に記載の方法。
（項目１８）
前記インジケータは、少なくとも２つのタイプのセルが報告され得ることを示す、項目１３に記載の方法。
（項目１９）
前記方法は、測定報告を生成するために、前記識別子によって識別された前記タイプのセルを測定することをさらに含む、項目１３に記載の方法。
（項目２０）
前記ハンドオーバーメッセージは、前記測定報告を含む、項目１９に記載の方法。
（項目２１）
前記ハンドオーバーメッセージは、前記インジケータによって示された前記タイプの前記セルに対するセル情報を含む、項目１３に記載の方法。
（項目２２）
前記セル情報は、前記インジケータによって示された前記タイプの前記セルに対する受信された信号レベルを含む、項目２１に記載の方法。
（項目２３）
前記インジケータは、第２世代（２Ｇ）セルが報告され得るか否かを示すための第１のインジケータであり、前記応答は、第３世代（３Ｇ）セルが報告され得るか否かを示すための第２のインジケータを含む、項目１３に記載の方法。
（項目２４）
前記インジケータは、セルのタイプが報告され得る表示、またはセルのタイプが報告されるべきではない表示のうちの少なくとも１つである、項目１３に記載の方法。
（項目２５）
ネットワーク機器であって、該ネットワーク機器は、
移動局にネットワーク登録リクエストへの応答を伝送するためのセルサポート決定子であって、該応答は、ハンドオーバー手順の間に該移動局によって報告され得るセルのタイプを示すためのインジケータを含む、セルサポート決定子と、
該移動局から、該インジケータによって可能にされるセルを示すハンドオーバーメッセージを受信するための部品と
を含む、ネットワーク機器。
（項目２６）
前記ハンドオーバーメッセージは、セルの識別の報告を含み、前記移動局は、該セルに対してハンドオーバーされ得る、項目２５に記載のネットワーク機器。
（項目２７）
前記ハンドオーバーメッセージは、候補のセル識別子のリストを含む、項目２５に記載のネットワーク機器。
（項目２８）
前記ハンドオーバーメッセージは、候補のセル識別子の第１のリストと候補のセル識別子の第２のリストとを含む、項目２５に記載のネットワーク機器。
（項目２９）
前記候補のセル識別子の第１のリストは、第３世代（３Ｇ）セルを識別し、前記第２のリストは、第２世代（２Ｇ）セルを識別する、項目２８に記載のネットワーク機器。
（項目３０）
前記インジケータは、少なくとも２つのタイプのセルが報告され得ることを示す、項目２５に記載のネットワーク機器。
（項目３１）
前記ハンドオーバーメッセージは、測定報告を含む、項目２５に記載のネットワーク機器。
（項目３２）
前記ハンドオーバーメッセージは、前記インジケータによって示された前記タイプの前記セルに対するセル情報を含む、項目２５に記載のネットワーク機器。
（項目３３）
前記セル情報は、前記インジケータによって示された前記タイプの前記セルに対する受信された信号レベルを含む、項目３２に記載のネットワーク機器。
（項目３４）
前記インジケータは、第２世代（２Ｇ）セルが報告され得るか否かを示すための第１のインジケータであり、前記応答は、第３世代（３Ｇ）セルが報告され得るか否かを示すための第２のインジケータを含む、項目２５に記載のネットワーク機器。
（項目３５）
前記インジケータは、セルのタイプが報告され得る表示、またはセルのタイプが報告されるべきではない表示のうちの少なくとも１つである、項目２５に記載のネットワーク機器。
【図面の簡単な説明】
【００２２】
【図１】図１は、モバイルハンドオーバーの管理を可能にする例の通信システムのブロックダイヤグラムである。
【図２】図２は、移動局を一般的アクセスネットワークコントローラに登録するための例のメッセージフローである。
【図３】図３は、一般的アクセスネットワークコントローラからセルラーネットワークまで移動局のハンドオーバーを始動させるための例のメッセージフローである。
【図４】図４は、増強した一般的アクセスネットワークコントローラによってインプリメントされ得る例のプロセスのフローチャートである。
【図５】図５は、図１の移動局によってインプリメントされ得る例のプロセスのフローチャートである。
【図６】図６は、一般的アクセスネットワークモードインジケータを含む代表的な移動局である。
【図７】図７は、増強した一般的アクセスネットワークコントローラを含む通信システムのブロックダイヤグラムである。
【図８】図８は、移動局において受信されたメッセージに含まれる一般的アクセスネットワークモードインジケータ情報要素を扱う一般的アクセスネットワークモードインジケータサポートモジュールの例のインプリメンテーションのブロックダイヤグラムである。
【図９】図９は、一般的アクセスネットワークモードインジケータコントローラの例のインプリメンテーションのブロックダイヤグラムである。
【図１０】図１０は、本明細書に開示された装置および方法をインプリメントすることが可能である例の処理システムのブロックダイヤグラムである。
【発明を実施するための形態】
【００２３】
（詳細な説明）
図１は、モバイルハンドオーバーの管理を可能にするために、本明細書に説明されるようにインプリメントされる例の通信システム１００のブロックダイヤグラムである。例示された例に従い、移動局１０２は、アクセスポイント１０４およびインターネットプロトコール（ＩＰ）ベースのネットワーク１０６を介して増強した一般的アクセスネットワーク（ＧＡＮ）コントローラ（ＧＡＮ−Ｃ）１０８と通信連結されている。増強したＧＡＮ−Ｃ１０８は、移動局１０２をモバイルサービスオペレータコアネットワーク１１０と連結する。移動局１０２が、通信のために、増強したＧＡＮ−Ｃ１０８に登録する場合に、増強したＧＡＮ−Ｃ１０８は、登録の受け入れを示すメッセージを送信する。以下により詳細に説明されるように、増強したＧＡＮ−Ｃ１０８によって伝送されたメッセージは、増強したＧＡＮ−Ｃ１０８によってサポートされ、また好まれたネットワークテクノロジーの識別を含む。従って、移動局１０２は、増強したＧＡＮ−Ｃ１０８によって送信された識別を受信し、増強したＧＡＮ−Ｃ１０８によってサポートされ、また好まれたネットワークテクノロジーを知る。従って、移動局１０２が、ＩＰネットワーク１０６から、例えば、セルアンテナ１１２と連結されたセルコントローラ１１１のようなもう１つのネットワークアクセスポイントまでハンドオーバーする用意ができる場合に、移動局１０２は、どのネットワークテクノロジーが増強したＧＡＮ−Ｃ１０８によってサポートされ、また好まれるかを知る。ハンドオーバー期間中、移動局１０２は、潜在的なアクセスポイント上の信号強度または他の計量の測定を行い、ハンドオーバーは、ハンドオーバーを作る望ましい潜在的なアクセスポイントにアクセスするように作られ得る。有益的に、ＧＡＮ−Ｃ１０８が、移動局１０２に増強したＧＡＮ−Ｃ１０８によってサポートされ、また好まれたネットワークテクノロジーの識別を提供するので、移動局１０２は、それらのサポートされ、または好まれたネットワークテクノロジー／無線アクセステクノロジー（ＲＡＴ）を利用するアクセスポイントのみを測定する。言い換えると、移動局は、増強したＧＡＮ−Ｃ１０８によってサポートされず、また好まれていないネットワークテクノロジーを使用するアクセスポイントを測定し、かつ報告するために、リソースを利用する必要がない。
【００２４】
移動局１０２は、利用可能なアクセスポイント（例えば、アクセスポイント１０４またはセルアンテナ１１２）を介してモバイルサービスオペレータと通信することが可能である任意タイプの通信デバイスであり得る。例えば、移動局１０２は、モバイル機器、ユーザー機器等であり得る。例の移動局１０２は、データ通信デバイス、セルラー電話、データ（例えば、電子メール、インターネットアクセス、個人情報管理等）および音声通信能力を有する複数機能通信デバイス、ワイヤレス通信対して可能なパーソナルデジタルアシスタント（ＰＤＡ）、またはインターネットモデムを組み込むコンピュータのような単一ユニットとしてインプリメントされ得る。代替的には、移動局１０２は、複数の別個の部品を含み、ワイヤレスモデルに接続されたコンピュータまたは他のデバイスを含み、ただしそれらを限定しない複数のモジュールユニットであり得る。
【００２５】
例の移動局１０２は、例えば、登録手順、更新手順等の一部分として受信され得る増強したＧＡＮ−Ｃ１０８によってサポートされ、また好まれたネットワークテクノロジーの識別を含むネットワーク応答を受信するための機能を含む。例えば、移動局１０２は、ネットワーク登録応答に含まれ得、挿入され得、埋め込まれ得、または関連付けられ得る識別を抽出し得、復号し得、解読し得、または受信し得る。加えて、移動局１０２は、利用可能なネットワークに対してスキャンしている場合に、増強したＧＡＮ−Ｃ１０８によってサポートされ、また好まれたネットワークテクノロジーを認識することが可能であり、移動局１０２は、増強したＧＡＮ−Ｃ１０８との通信セクションの後に、利用可能なネットワークに対してハンドオーバーされるべきである。例えば、移動局１０２は、利用可能なネットワークに対してスキャンし得、識別によって識別されたネットワークテクノロジーを利用するアクセスポイントを識別し得、識別されたネットワークテクノロジーを有するそれらのアクセスポイントのみを測定し得、そしてネットワークのうちの１つに対してハンドオーバーを要求するために、増強したＧＡＮ−Ｃ１０８に識別されたネットワークテクノロジーを有するそれらのアクセスポイントのみを報告し得る。
【００２６】
例示された例のアクセスポイント１０４は、ＧＡＮアクセスポイント、ライセンスのないモバイルアクセス（ＵＭＡ）アクセスポイント、ホームノードＢ、フェムトセル等のうちの任意タイプであり得る。例えば、アクセスポイント１０４は、Ｗｉ−Ｆｉ  ＩＥＥＥ８０２．１１アクセスポイント、マイクロ波アクセスポイント（ＷｉＭａｘ）ＩＥＥＥ８０２．１６のためのワールドワイド互換性アクセスポイント、ＢｌｕｅｔｏｏｔｈＴＭアクセスポイント等であり得る。アクセスポイント１０４は、移動局１０２が、ＩＰネットワーク１０６および増強したＧＡＮ−Ｃ１０８を介してモバイルサービスオペレータコアネットワーク１１０に接続することを可能にする。例示された例に従い、移動局１０２は、ＩＰネットワーク１０６および増強したＧＡＮ−Ｃ１０８を介して移動局１０２を接続するアクセスポイント１０４との接続を確立する。
【００２７】
例示された例のＩＰネットワーク１０６は、インターネットである。他の例において、ＩＰネットワーク１０６は、アクセスポイント１０４を増強したＧＡＮ−Ｃ１０８に通信連結する任意タイプのプライベートネットワークであり得る。例えば、公共ネットワークは、任意タイプの公共またはプライベートのローカルエリアネットワーク、広エリアネットワーク、ワイヤレスネットワーク、有線ネットワーク等であり得る。
【００２８】
増強したＧＡＮ−Ｃ１０８は、移動局１０２とモバイルサービスオペレータコアネットワーク１１０との間の回路スイッチ（ＣＳ）通信およびパケットスイッチ（ＰＳ）通信を容易にする。本明細書においてさらなる詳細に説明されるように、移動局１０２が増強したＧＡＮ−Ｃ１０８に登録リクエストを送信する場合に、増強したＧＡＮ−Ｃ１０８は、増強したＧＡＮ−Ｃ１０８によってサポートされたネットワークテクノロジー／ＲＡＴの識別を含む登録リクエストに応答を送信する。例えば、増強したＧＡＮ−Ｃ１０８は、ネットワーク渋滞（例えば、第２世代（２Ｇ）ネットワークの渋滞、第３世代（３Ｇ）ネットワークについての渋滞等）を分析し得、どのテクノロジーが増強したＧＡＮ−Ｃ１０８によってサポートされるかを決定するために、増強したＧＡＮ−Ｃおよび／またはモバイルサービスオペレータコアネットワーク１１０等によってサポートされたネットワークを分析し得る。
【００２９】
モバイルサービスオペレータコアネットワーク１１０は、移動局１０２のような移動局に通信サービスを提供するコアネットワークである。モバイルサービスオペレータコアネットワーク１１０は、増強したＧＡＮ−Ｃ１０８、またはアクセスポイント１０４またはアンテナ１１２を介して移動局１０２に通信連結され得る。モバイルサービスオペレータコアネットワーク１１０は、移動局に対してＣＳおよびＰＳの任意タイプの組み合わせを提供する任意タイプのネットワークであり得る。
【００３０】
例のセルアンテナ１１２は、モバイルサービスオペレータコアネットワーク１１０をアクセスために、移動局１０２に対してセルラーアクセスポイントを提供する。セルアンテナ１１２は、任意タイプの基地局、または、例えば、２Ｇネットワーク、３Ｇネットワーク、第４世代（４Ｇ）ネットワーク、モバイルのためのグローバルシステム（ＧＳＭ（登録商標））テクノロジーネットワーク、ユニバーサルモバイル電気通信システム（ＵＭＴＳ）ネットワーク、ロングタームエボリューション（ＬＴＥ）ネットワーク、コード分割多重アクセス（ＣＤＭＡ）ネットワーク等のようなネットワークの一部分であり得る。アンテナ１１２は、ＣＳおよびＰＳ通信サービスを容易にするために、基地局コントローラ（ＢＳＣ）、ノードＢ、またはモバイルサービスオペレータコアネットワーク１１０の他の部品に接続される。
【００３１】
例の動作において、移動局１０２は、図１の参照数字１によって表される通信の間に、増強したＧＡＮ−Ｃ１０８に登録する。また、通信１の間に、増強したＧＡＮ−Ｃ１０８は、増強したＧＡＮ−Ｃ１０８によってサポートされ、また好まれたネットワークテクノロジーの識別を含む登録の受け入れを送信する。その後の通信１の間に、移動局１０２は、セルラーアクセスポイント（例えば、セルアンテナ１１２）に対してハンドオーバーされるべき増強したＧＡＮ−Ｃ１０８にリクエストを送信する。移動局１０２が、登録メッセージを介して増強したＧＡＮ−Ｃ１０８の能力を知るので、移動局１０２は、増強したＧＡＮ−Ｃ１０８によってサポートされ、また好まれたネットワークテクノロジーを使用するアクセスポイントを測定し、かつ報告するリソースを拡張しない。次に、増強したＧＡＮ−Ｃ１０８は、セルアンテナ１１２との通信を始動するように移動局１０２を命令する。次に、移動局１０２は、図１の参照数字２を用いるように参照された通信においてセルアンテナとの通信を始動する。
【００３２】
図２は、図１の通信１の間に生じ得る例のメッセージフローである。例のメッセージフローは、移動局１０２が増強したＧＡＮ−Ｃ１０８およびモバイルサービスオペレータコアネットワーク１１０との通信を始動すべきであるときに、開始する。移動局１０２は、ＧＡ−ＲＣ  ＲＥＧＩＳＴＥＲ  ＲＥＱＵＥＳＴメッセージ２０２を増強したＧＡＮ−Ｃ１０８に送信する。例えば、ＧＡ−ＲＣ  ＲＥＧＩＳＴＥＲ  ＲＥＱＵＥＳＴは、３ＧＰＰ  ＴＳ４４．３１８に従って送信され得る。ＧＡ−ＲＣ  ＲＥＧＩＳＴＥＲ  ＲＥＱＵＥＳＴの受け取りの際に、増強したＧＡＮ−Ｃ１０８は、登録が受け入れられるべきであることを決定し、そしてＧＡ−ＲＣ  ＲＥＧＩＳＴＥＲ  ＡＣＣＥＰＴメッセージ２０４を移動局１０２に送信する。増強したＧＡＮ−Ｃ１０８は、好まれ、そして／またはサポートされたネットワークテクノロジーを移動局１０２に示すために、ＧＡ−ＲＣ  ＲＥＧＩＳＴＥＲ  ＡＣＣＥＰＴメッセージ２０４における増強したＧＡＮ−Ｃ１０８の能力を示すＧＡＮモードインジケータ（ＧＭＩ）を含む。
【００３３】
例示された例に従い、増強したＧＡＮ−Ｃ１０８は、ネットワークテクノロジーのための能力または好みにおける変化が、ＧＡ−ＲＣ  ＲＥＧＩＳＴＥＲ  ＡＣＣＥＰＴメッセージ２０４が、移動局１０２に送信された後に生じることを決定し得る。例えば、表１は、ＧＭＩを含むＧＳ−ＲＣ  ＲＥＧＩＳＴＥＲ  ＡＣＣＥＰＴメッセージ２０４に対する例の形式を例示する。
【００３４】
【表１】
0005422738.tif 000002
能力における変化を報告するために、増強したＧＡＮ−Ｃ１０８は、ＧＡ−ＲＣ  ＲＥＧＩＳＴＥＲ  ＵＰＤＡＴＥ  ＤＯＷＮＬＩＮＫメッセージ２０６を移動局１０２に伝送する。ＧＡ−ＲＣ  ＲＥＧＩＳＴＥＲ  ＵＰＤＡＴＥ  ＤＯＷＮＬＩＮＫメッセージ２０６は、増強したＧＡＮ−Ｃ１０８の能力を示すＧＭＩを含む。例えば、表２は、ＧＭＩを含むＧＡ−ＲＣ  ＲＥＧＩＳＴＥＲ  ＵＰＤＡＴＥ  ＤＯＷＮＬＩＮＫメッセージ２０６に対する例の形式を例示する。
【００３５】
【表２】
0005422738.tif 000003
表３は、ＧＭＩの例の形式を例示する。
【００３６】
【表３】
0005422738.tif 000004
表４は、表３のＧＭＩ  ＩＥのモード要素に対する例の形式を例示する。
【００３７】
【表４】
0005422738.tif 000005
表２の例のＧＭＩ  ＩＥにおいて、ＨＯ＿２Ｇ表示は、移動局１０２が２Ｇセルに対してハンドオーバーされ得るか否かを特定し、ＨＯ＿３Ｇ表示は、移動局１０２が３Ｇセルに対してハンドオーバーされ得るか否かを特定する。ＨＯ＿２Ｇ表示およびＨＯ＿３Ｇ表示に対する例の形式が表５に示される。
【００３８】
【表５】
0005422738.tif 000006
増強したＧＡＮ−Ｃ１０８の能力の各々を示すための別々の値を含むＧＭＩ  ＩＥに対する代替的な形式が表６に示される。
【００３９】
【表６】
0005422738.tif 000007
図３は、また図１の通信１の間に生じ得る例のメッセージフローである。例示された例に従い、図３のメッセージフローは、図２のメッセージフローの後に起きる。図３のメッセージフローの開始において、移動局１０２は、一般的アクセス（ＧＡ）回路スイッチリソース（ＣＳＲ）ＤＥＤＩＣＡＴＥＤ状態３０２（３ＧＰＰ  ＴＳ３４．３１８）にある。ＧＡ−ＣＳＲ−ＤＥＤＩＣＡＴＥＤ状態３０２において、移動局１０２は、セルラーネットワーク（例えば、図１のセルラーアンテナ１１２）に対してハンドオーバーを始動させ得る。例示された例に従い、移動局１０２は、３ＧＰＰ  ＴＳ３４．３１８／４４．３１８に従って増強したＧＡＮ−Ｃ１０８から受信されたＧＡ−ＣＳＲ  ＵＰＬＩＮＫ  ＱＵＡＬＩＴＹ  ＩＮＤＩＣＡＴＩＯＮメッセージ３０４に応じてハンドオーバーを始動させる。移動局１０２は、任意の他の理由のためにハンドオーバーを始動させ得る。例えば、移動局１０２は、ＧＡＮ有効範囲の信号品質のローカル測定、悪いアップリンク品質を示すリアルタイム転送（ＲＴＰ）コントロールプロトコール（ＲＴＣＰ）パケットの受け取り、受信されたＲＴＰパケットにおける過度の損失または遅延等のために、ハンドオーバーを始動させ得る。
【００４０】
ハンドオーバーを始動させるために、移動局１０２は、３ＧＰＰ  ＴＳ４４．３１８に従ってＧＡ−ＣＳＲ  ＨＡＮＤＯＶＥＲ  ＩＮＦＯＲＭＡＴＩＯＮ（ＨＩ）メッセージ３０６を送信する。ＧＳ−ＣＳＲ  ＨＩメッセージ３０６は、移動局１０２がハンドオーバーされ得るセルの識別の報告を含む。例えば、報告は、移動局１０２の近傍にあるセルを識別し得る。例示された例に従い、移動局１０２は、どのセルが測定し、増強したＧＡＮ−Ｃ１０８に報告することを決定するときに、ＧＡ−ＲＣ  ＲＥＧＩＳＴＥＲ  ＡＣＣＥＰＴメッセージ２０４において受信された増強したＧＡＮ−Ｃ１０８の能力の識別を使用する。例の移動局１０２は、移動局１０２に対して利用可能な５つのセルがあり、ただしそれらのセルのうちの３つのみが、増強したＧＡＮ−Ｃ１０８の能力に合うことを決定し得る。例えば、増強したＧＡＮ−Ｃ１０８は、移動局１０２が２Ｇセルに対してのみハンドオーバーされ得ることを示し得、移動局は、利用可能なセルのうちの３つが２Ｇセルであり、他の２つのセルが３Ｇセルであることを決定し得る。従って、移動局１０２は、ＧＡ−ＣＳＲ  ＨＩメッセージ３０６においてサポートされたセル（例えば、２Ｇセル）のみを測定し、かつ報告する。
【００４１】
ＧＡ−ＣＳＲ  ＨＩメッセージ３０６を受信した後に、増強したＧＡＮ−Ｃ１０８は、報告されたセルを調査し、そして移動局１０２が接続されるべきでる所望のセルを選択する。報告されたセルが、増強したＧＡＮ−Ｃ１０８の能力に合わないセルを含まないので、増強したＧＡＮ−Ｃ１０８は、移動局１０２がハンドオーバーされ得るリソース処理セルに拡張しない。増強したＧＡＮ−Ｃ１０８は、移動局１０２が選択されたセルとの通信を始動させるように命令するＧＡ−ＣＳＲ  ＨＡＮＤＯＶＥＲ  ＣＯＭＭＡＮＤメッセージ３０８を送信する。次に、移動局１０２は、３ＧＰＰ  ＴＳ４３．３１８に従ってＧＡ−リソースコントロール（ＲＣ）−ＲＥＧＩＳＴＥＲＥＤ状態３１０に進入する。ＧＡ−ＲＣ−ＲＥＧＩＳＴＥＲＥＤ状態３１０において、移動局１０２は、増強したＧＡＮ−Ｃ１０８に登録され、セルラーネットワーク（例えば、セルラーアンテナ１１２）を介してモバイルサービスオペレータコアネットワーク１１０に接続される。
【００４２】
本明細書に説明されるシステム１００の構成要素およびモバイル通信デバイスのうちのいくつかまたは全部をインプリメントするために実行され得る例のプロセスを表すフローチャートが図３および図４に示される。
【００４３】
これらの例において、各フローチャートによって表されるプロセスは、（ａ）図１０に関連して以下に議論される例のコンピュータ１０００において示されるマイクロプロセッサ１０１２のようなプロセッサと、（ｂ）コントローラおよび／または（ｃ）任意の他の適切なデバイスとによる実行のためのマシン読み取り可能な命令を含む１つ以上のプログラムによってインプリメントされ得る。１つ以上のプログラムは、例えば、フラッシュメモリ、ＣＤ−ＲＯＭ、フロッピー（登録商標）ディスク、ハードドライブ、ＤＶＤ、またはプロセッサ１０１２に関連付けられたメモリのような有形の媒体に格納されたソフトウェア内に埋め込まれ得、しかし全部のプログラムおよび／またはそれらの一部分は、代替的に、マイクロプロセッサ１０１２以外のデバイスによって実行され得、そして／またはフォームウェアまたは専用のハードウェアに埋め込まれ得る（例えば、特定用途の集積回路（ＡＳＩＣ）、プログラマブル論理デバイス（ＰＬＤ）、フィールドプログラマブル論理デバイス（ＦＰＬＤ）、離散的論理等によってインプリメントされ得る）。例えば、例のモバイル通信システム部品のうちの任意の１つ、いくつかまたは全部は、ソフトウェア、ハードウェア、および／またはフォームウェアによってインプリメントされ得る。また、図４および図５のフローチャートによって表されるプロセスのうちのいくつかまたは全部が手動にインプリメントされ得る。
【００４４】
さらに、例のプロセスは、図４および図５において例示されたフローチャートを参照して説明されるが、本明細書に説明される例の方法および装置をインプリメントするための多くの他の技術が代替的に使用され得る。例えば、図４および図５に例示されたフローチャートを参照して、ブロックの実行の順序が変えられ得、そして／または説明されたブロックのうちのいくつかは、変えられ得、削除され得、組み合わせられ得、そして／または複数のブロックに細分され得る。
【００４５】
図４は、増強したＧＡＮ−Ｃ１０８によってインプリメントされ得る例のプロセスのフローチャートである。図４の例のフローチャートは、増強したＧＡＮ−Ｃ１０８がＧＡ−ＲＣ  ＲＥＧＩＳＴＥＲ  ＲＥＱＵＥＳＴを受信するときに開始する（ブロック４０２）。次に、増強したＧＡＮ−Ｃ１０８は、サポートされたネットワークテクノロジーを決定する（ブロック４０４）。例えば、増強したＧＡＮ−Ｃ１０８は、利用可能なネットワークのネットワーク負荷を分析し得、モバイルサービスオペレータコアネットワーク１１０の能力を分析し得、増強したＧＡＮ−Ｃ１０８に接続されたネットワークの任意の性質または特性を分析し得、またはどのネットワークテクノロジーがサポートされ、または好まれるかを決定するために、異なるネットワークテクノロジーに対してハンドオーバーをサポートするようにＧＡＮ−Ｃ１０８の能力を分析し得る。次に、増強したＧＡＮ−Ｃ１０８は、移動局１０２にＧＡ−ＲＣ  ＲＥＧＩＳＴＥＲ  ＡＣＣＥＰＴメッセージを送信する（ブロック４０６）。ＧＡ−ＲＣ  ＲＥＧＩＳＴＥＲ  ＡＣＣＥＰＴメッセージは、増強したＧＡＮ−Ｃ１０８によってサポートされ、そして／または好まれるネットワークテクノロジーの識別を含む。
【００４６】
図５は、移動局１０２によってインプリメントされ得る例のプロセスのフローチャートである。図５のプロセスは、移動局１０２がＧＡ−ＣＳＲ−ＤＥＤＩＣＡＴＥＤ状態に進入するときに開始する（ブロック５０２）。示されていないが、移動局１０２がＧＡ−ＣＳＲ−ＤＥＤＩＣＡＴＥＤ状態にある時間の間に、移動局１０２は、ＣＳ通信にかかわり得る。移動局１０２はまた、増強したＧＡＮ−Ｃ１０８との間でＰＳデータを送受信するために、ＧＡ−パケットスイッチリソース（ＰＳＲ）−ＡＣＴＩＶＥ状態に進入し得る。そのうち、移動局１０２は、ＧＡＮからセルラーネットワークまでのハンドオーバーが生じるべきであることを決定する。例示された例において、移動局１０２は、ハンドオーバーが、ＧＡ−ＣＳＲ  ＵＰＬＩＮＫ  ＱＵＡＬＩＴＹ  ＩＮＤＩＣＡＴＩＯＮを受信するのに応じて生じるべきであることを決定する（ブロック５０４）。次に、例の移動局１０２は、移動局１０２がハンドオーバーされ得る利用可能なセルを測定する（ブロック５０６）。移動局が、事前に増強したＧＡＮ−Ｃ１０８の能力の表示を受信したので、移動局１０２は、増強したＧＡＮ−Ｃ１０８の能力に合うセルのみを測定する。代替的に、移動局１０２は、全部の利用可能なセルを測定し得、増強したＧＡＮ−Ｃ１０８に報告する前に増強したＧＡＮ−Ｃ１０８の能力に合わないセルを除去し得る。
【００４７】
増強したＧＡＮ−Ｃ１０８の能力に合う利用可能なセルを測定した後に、移動局１０２は、測定されたセルのうちの１つ以上の識別を含むＧＡ−ＣＳＲ  ＨＩメッセージを増強したＧＡＮ−Ｃ１０８に送信する（ブロック５０８）。次に、移動局１０２は、セルを示すＧＡ−ＣＳＲ  ＨＡＮＤＯＶＥＲ  ＣＯＭＭＡＮＤを受信し、移動局１０２は、セルに対してハンドオーバーされる（ブロック５１０）。次に、移動局１０２は、選択されたセルに関連するＧＡ−ＲＣ  ＲＥＧＩＳＴＥＲＥＤ状態に進入する（ブロック５１２）。
【００４８】
図６は、図１の移動局１０２をインプリメントし得る代表的な移動局６００である。例の移動局６００は、少なくとも音声およびデータ通信能力を有する２方向ワイヤレス通信デバイスである。例の移動局６００は、インターネット上に他のコンピュータシステムと通信するための能力を有する。提供された正確な機能に依存して、移動局６００は、例えば、データメッセージングデバイス、２方向ページャー、ワイヤレスｅメールデバイス、メッセージング能力を有するセルラー電話、ワイヤレスインターネットアプライアンス、またはデータ通信デバイスと呼ばれ得る。
【００４９】
移動局６００が２方向通信に対して可能にされる場合に、移動局６００は、受信器６１２および送信器６１４も、１つ以上の、埋め込まれ、または内部の、アンテナ要素６１６および６１８、ローカル振動子（ＬＯ）６１３、およびデジタル信号プロセッサ（ＤＳＰ）６２０のような処理モジュールのような関連付けられた部品も含む通信サブシステム６１１を組み込む。通信分野の当業者に明白であるように、通信サブシステム６１１の特定の設計は、デバイスが動作するように意図される通信ネットワークに依存する。例えば、移動局６００は、１つ以上のネットワーク内に動作するように設計された通信サブシステム６１１を含み得る。例えば、通信サブシステム６１１は、ＧＰＲＳネットワーク、ＵＭＴＳネットワーク、ワイヤレスローカルエリアネットワーク、２Ｇネットワーク、３Ｇネットワーク、４Ｇネットワーク、ＢｌｕｅｔｏｏｔｈＴＭネットワーク等において動作し得る。通信サブシステム６１１は、単一のサブシステムであり得、または複数のサブシステムを含み得る。
【００５０】
ネットワークアクセスの必要条件はまた、ネットワーク６１９のタイプに依存して変わる。例えば、ＵＭＴＳおよびＧＰＲＳネットワークにおいて、ネットワークアクセスは、移動局６００の加入者またはユーザーに関連付けられる。例えば、ＧＰＲＳモバイルデバイスは、ＧＰＲＳネットワークを動作させるために、加入者識別モジュール（ＳＩＭ）を使用する。ＵＭＴＳにおいて、ＵＳＩＭまたはＳＩＭモジュールが使用される。ＣＤＭＡにおいて、ＲＵＩＭカードまたはモジュールが使用される。これらは、本明細書においてＵＩＭインターフェースと呼ばれる。有効なＵＩＭインターフェースなしに、モバイルデバイスは、完全に機能しない場合もある。ローカルまたは非ネットワーク通信機能も、緊急呼出のような法律上に必要とされる機能（何でも）は、利用可能であり得、しかし移動局６００は、ネットワーク６００にわたる通信を含む任意の他の機能を実行できない。ＵＩＭインターフェース６４４は、通常にカードスロットに類似し、カードは、ディスケットまたはＰＣＭＣＩＡカードのように、カードスロット内に挿入され得、そして排出され得る。ＵＩＭカードは、キー構成情報６５１と、識別および加入者関連情報のような他の情報６５３とを保持し得る。
【００５１】
ネットワーク登録またはアクティベーション手順が完成された場合に、移動局６００は、ネットワーク６１９にわたって通信信号を送受信し得る。通信ネットワーク６１９を通じてアンテナ６１６によって受信された信号は、受信器６１２に入力され、受信器６１２は、信号増幅、周波数ダウン変換、フィルタリング、チャンネル選択等のような共通受信器機能と、アナログ−デジタル（Ａ／Ｄ）変換とを行い得る。受信された信号のＡ／Ｄ変換は、ＤＳＰ６２０において行われるべき復調および復号のようなより複雑な通信機能を可能にする。同様な方式において、伝送されるべき信号は、デジタル−アナログ変換、周波数アップ変換、フィルタリング、増幅、およびアンテナ６１８を介して通信ネットワーク６１９にわたる伝送のために、ＤＳＰ６２０によって、例えば、変調および符号化を含むのを処理され、そして送信器６１４に入力される。ＤＳＰ６２０は、通信信号を処理するだけではなく、受信器および送信器コントロールも提供する。例えば、受信器６１２および送信器６１４において通信信号に適用されるゲインは、ＤＳＰ６２０においてインプリメントされた自動ゲインコントロールアルゴリズムを通じて適合に制御され得る。
【００５２】
ネットワーク６１９はさらに、サーバー６６０と他の構成要素（示されていない）を含む複数のシステムと通信し得る。例えば、ネットワーク６１９は、さまざまなサービスレベルを用いてさまざまなクライアントを収容するために、企業システムとウェブクライアントシステムとの両方と通信し得る。
【００５３】
移動局６００は、好ましくは、デバイスの全部の動作を制御するマイクロプロセッサ６３８を含む。少なくともデータ通信を含む通信機能は、通信サブシステム６１１を通じて行われる。マイクロプロセッサ６３８はまた、ディスプレイ６２２、フラッシュメモリ６２４、ランダムアクセスメモリ（ＲＡＭ）６２６、補助入力／出力（Ｉ／Ｏ）サブシステム６２８、シリアルポート６３０、キーボード６３２、スピーカ６３４、マイクロフォン６３６、短距離通信サブシステム６４０、および６４２として一般的に示された任意の他のデバイスサブシステムのようなさらなるデバイスサブシステムと相互作用する。
【００５４】
図６に示されるサブシステムのうちのいくつかは、通信関連の機能を行うが、他のサブシステムは、「常駐」またはオンデバイス機能を提供し得る。とりわけ、キーボード６３２およびディスプレイ６２２のようないくつかのサブシステムは、例えば、通信ネットワークにわたる伝送のためのテキストメッセージを入れることのような通信関連の機能と、計算器またはタスクリストのようなデバイス常駐機能との両方のために使用され得る。
【００５５】
マイクロプロセッサ６３８によって使用される動作システムソフトウェアは、フラッシュメモリ６２４のような永続記憶装置に格納され、フラッシュメモリ６２４は、読み取り専用メモリ（ＲＯＭ）または類似な構成要素（示されていない）に代わられ得る。動作システム、具体的なデバイス応用、またはそれらの一部分は、ＲＡＭ６２６のような揮発性メモリ内に一時的にロードされ得る。受信された通信信号はまた、ＲＡＭ６２６内に格納され得る。さらに、特有の識別子はまた、読み取り専用メモリ内に格納される。
【００５６】
示されるように、フラッシュメモリ６２４は、コンピュータプログラム６５８とプログラムデータ記憶域６５０、６５２、６５４および６５６との両方のために、異なるエリア内に分離され得る。これらの異なる記憶タイプは、各プログラムがそれらの自身データ記憶の必要条件に対してフラッシュメモリ６２４の一部分を割り付け得ることを示す。加えて、フラッシュメモリ６２４は、ＧＡＮネットワークから（例えば、増強したＧＡＮ−Ｃ１０８から）受信されたＧＭＩ情報要素を扱うためのＧＭＩサポートモジュール６５９を含む。ＧＭＩサポートモジュール６５９は、図５のフローチャートに従って、そして図９に関連して説明されるブロックダイヤグラムに従ってインプリメントされ得る。
【００５７】
例のマイクロプロセッサ６３８は、その動作システム機能に加えて、モバイルデバイス上のソフトウェア応用の実行を可能にする。例えば、少なくともデータおよび音声通信応用を含む基礎動作を制御する応用の所定セットは、通常に、製造する間に移動局６００にインストールされる。例のソフトウェア応用は、ｅメール、カレンダーイベント、音声メール、予約、およびタスク項目のような、ただしそれらを限定しないモバイルデバイスのユーザーに関連するデータ項目を編成し、かつ管理するための能力を有するパーソナル情報マネージャー（ＰＩＭ）応用であり得る。１つ以上のメモリ記憶装置は、ＰＩＭデータ項目の記憶を容易にするために、モバイルデバイス上に利用可能であり得る。このようなＰＩＭ応用は、好ましくは、ワイヤレスネットワーク６１９を介してデータ項目を送受信するための能力を有し得る。例のインプリメンテーションにおいて、ＰＩＭデータ項目は、ホストコンピュータシステムに格納され、または関連付けられたモバイルデバイスユーザーの対応するデータ項目と共に、ワイヤレスネットワーク６１９を介してシームレスに統合され、同期され、そして更新される。さらなる応用はまた、ネットワーク６１９、補助Ｉ／Ｏサブシステム６２８、シリアルポート６３０、短距離通信サブシステム６４０または任意の適切なサブシステム６４２を通じて移動局６００にロードされ得、マイクロプロセッサ６３８による実行のために、ユーザーによってＲＡＭ６２６または好ましくは非揮発性記憶装置（示されていない）にインストールされ得る。応用インストールにおけるこのような柔軟性は、デバイスの機能を増大し、増大したオンデバイス機能、通信関連機能、または両方を提供し得る。例えば、秘密通信応用は、電子商取引機能および他のような金融取引が移動局６００を用いて行われることを可能にし得る。しかし、以上に従うこれらの応用は、多くの場合において、キャリアによって認可される必要がある。
【００５８】
データ通信モードにおいて、テキストメッセージまたはウェブページタウンロードのような受信された信号は、通信サブシステム６１１によって処理され、マイクロプロセッサ６３８に入力され、マイクロプロセッサ６３８は、好ましくは、ディスプレイ６２２、または代替的に補助Ｉ／Ｏデバイス６２８への出力のために、受信された信号をさらに処理する。移動局６００のユーザーはまた、キーボード６３２を用いて、例えばｅメールメッセージのようなデータ項目を作り得、キーボード６３２は、好ましくは、ディスプレイ６２２、および可能なら補助Ｉ／Ｏデバイス６２８と関連する完全な英数字キーボードまたは電話タイプキーボードである。次に、このように作られた項目は、通信サブシステム６１１を通じて通信ネットワークにわたって伝送され得る。
【００５９】
音声通信に対して、移動局６００の全部の動作は、受信された信号がスピーカ６３４に出力され得、伝送のための信号がマイクロフォン６３６によって生成され得ること以外、類似である。代替的な音声またオーディオＩ／Ｏサブシステム、例えば、音声メッセージ記録サブシステムはまた、移動局６００上にインプリメントされ得る。音声またはオーディオ信号出力が、主にスピーカ６３４を通じて達成され得るが、ディスプレイ６２２はまた、例えば、呼出者の識別、音声呼出の期間、または他の音声呼出関連の情報の表示を提供するために使用され得る。
【００６０】
図６のシリアルポート６３０は、ユーザーデスクトップコンピュータ（示されていない）との同期が望まれ得るパーソナルデジタルアシスタント（ＰＤＡ）タイプモバイルデバイスにおいてインプリメントされ得る。シリアルポート６３０は、ユーザーが外部デバイスまたはソフトウェア応用を通じて好みを設定することを可能にし得、ワイヤレス通信ネットワークを通る以外、モバイルデバイス６００に情報またはソフトウェアダウンロードを提供することによってモバイルデバイス６００の能力を拡張し得る。代替的なダウンロードパスは、例えば、直接、従って信頼可能かつ信頼された接続を通じてデバイスにエンクリプションキーをロードするために使用され得、それによって、秘密のデバイス通信を可能にし得る。
【００６１】
代替的に、シリアルポート６３０は、他の通信のために使用され得、ユニバーサルシリアルバス（ＵＳＢ）ポートとして含み得る。
【００６２】
他の通信サブシステム６４０、例えば、短距離通信サブシステムは、移動局６００と、必ずしも類似なデバイスではない異なるシステムまたはデバイスとの間の通信を提供し得る。例えば、サブシステム６４０は、赤外線デバイス並びに関連付けられた回路および部品、類似に可能にされたシステムおよびデバイスとの通信を提供するためのＢｌｕｅｔｏｏｔｈＴＭ通信モジュール、ＷｉＦｉ通信モジュール、ＷｉＭａｘ通信モジュール、または任意の他のＲＡＴのための通信モジュールを含み得る。
【００６３】
図７は、図１の移動局１０２および／または図６の移動局６００をインプリメントし得る移動局７０２を含む通信システム７００のブロックダイヤグラムである。例の移動局７０２は、例示されたワイヤレス通信ネットワークを通じて通信する。
【００６４】
移動局７０２は、複数のノードＢ７０６のうちの１つ、または一般的インターネットプロトコール（ＩＰ）アクセスネットワーク７８０を用いてワイヤレスに通信する。各ノードＢ７０６は、エアーインターフェース処理およびいくつかの無線リソース管理機能に関与する。ノードＢ７０６は、ＧＳＭ（登録商標）／ＧＰＲＳネットワークにおいて基地局に類似な機能を提供する。ノードＢ７０６は、任意タイプのネットワークテクノロジーのための任意タイプのアクセスポイントとしてインプリメントされ得る。
【００６５】
通信システム７００において示されるワイヤレスリンクは、１つ以上の異なるチャンネル、典型的に、異なる無線周波数（ＲＦ）チャンネル、およびワイヤレスネットワークと移動局７０２との間に使用される関連付けられたプロトコールを表す。Ｕｕエアーインターフェース７０４は、移動局７０２とノードＢ７０６との間に使用される。ＲＦチャンネルは、典型的に、全部のバンド幅、および移動局７０２の限定されたバッテリー電力の制限のために保存されなければならない限定されたリソースである。ワイヤレスネットワーク７００は、ネットワーク有効範囲の所望の全部の広さに依存して１つまたは複数のセルを含み得る。全部の関連する部品は、複数のスイッチおよびルータ（示されていない）によって接続され得、かつ複数のネットワークコントローラによって制御され得る。
【００６６】
各ノードＢ７０６は、ＲＮＣ７１０と通信する。ＲＮＣ７１０は、そのエリアにおいて無線リソースのコントロールに関与する。１つのＲＮＣ７１０は、複数のノードＢ７０６を制御する。
【００６７】
ノードＢ７０６とＲＮＣ７１０との間に使用されたインターフェースは、Ｉｕｂインターフェース７０８である。ＮＢＡＰ（ノードＢ応用部分）シグナリングプロトコールは、主に、３ＧＰＰ  ＴＳ２５．４３３に規定されるように使用される。ユニバーサルテレストリアルラジオアクセスネットワーク（ＵＴＲＡＮ）７２０は、ＲＮＣ７１０、ノードＢ７０６およびＵｕエアーインターフェース７０４を含む。
【００６８】
例の移動局７０２は、一般的ＩＰアクセスネットワーク７８０によって指定されるような通信インターフェース７８２を介して一般的ＩＰアクセスネットワーク７８０と通信する。例えば、一般的ＩＰアクセスネットワーク７８０がＷｉＦｉアクセスポイントである場合に、通信インターフェース７８２は、ＷｉＦｉインターフェースである。任意の所望の公共またはプライベート通信インターフェースまたは基準は、前に説明されたそれらのプロトコールを含むように使用され得る。
【００６９】
一般的ＩＰアクセスネットワーク７８０は、Ｕｐインターフェース７８４を介して、移動局７０２を増強したＧＡＮ−Ｃ７８６に接続する。増強したＧＡＮ−Ｃ７８６は、Ａ／ＩｕＣＳインターフェースを介してモバイルスイッチングセンター（ＭＳＣ）に対してＣＳトラフィックを捜し出し、Ｇｂ／ＩｕＰＳインターフェースを介してサービスサポートノード（ＳＧＳＮ）７５０に対してＰＳトラフィックを捜し出す。増強したＧＡＮ−Ｃ７８６は、一般的アクセスネットワーク、ライセンスのないモバイルネットワーク等をサポートするための任意タイプのコントローラであり得る。例えば、増強したＧＡＮ−Ｃ７８６は、ライセンスのないモバイルネットワークコントローラ（ＵＮＣ）であり得る。
【００７０】
例示された例の増強したＧＡＮ−Ｃ７８６は、ＧＭＩコントローラ７８８を含む。ＧＭＩコントローラ７８８は、図４のフローチャートおよび図８のブロックダイヤグラムに従ってインプリメントされ得る。例示された例に従い、ＧＭＩコントローラ７８８は、増強したＧＡＮ−Ｃ７８６の能力を示すために、増強したＧＡＮ−Ｃ７８６から移動局１０２まで伝送されたメッセージにおいてＧＭＩ  ＩＥを含むように構成される。例えば、登録リクエストに応じて、増強したＧＡＮ−Ｃ７８６は、ＵＰインターフェース７８４、一般的ＩＰアクセスネットワーク７８０および通信インターフェース７８２を介して、移動局７０２に伝送される登録受け入れメッセージ７９０を送信し得る。ＧＭＩコントローラ７８８は、登録受け入れメッセージ７９０（または任意の他の所望のメッセージ）と共に、増強したＧＡＮ−Ｃ７８６および／または通信システム７００の能力の表示を含む。
【００７１】
例示された例に従い、回路スイッチトラフィックは、ＭＳＣ７３０に対して捜し出される。ＭＳＣ７３０は、呼出を捜し出すスイッチであり、加入者から、またはＰＳＴＮ（示されていない）からデータを取り、かつ受信する。ＲＮＣ７１０とＭＳＣ７３０との間のトラフィックは、Ｉｕ−ＣＳインターフェース７２８を使用する。Ｉｕ−ＣＳインターフェース７２８は、ＵＴＲＡＮ７２０とコア音声ネットワークとの間に（典型的に）音声トラフィックを運び、かつ信号を送るための回路スイッチ接続である。使用されたメインシグナリングプロトコールは、ＲＡＮＡＰ（無線アクセスネットワーク応用部分）である。ＲＡＮＡＰプロトコールは、ＭＳＣ７３０または（以下により詳細に規定される）ＳＧＳＮ７５０であり得るコアネットワーク７２１とＵＴＲＡＮ７２０との間のＵＭＴＳシグナリングにおいて使用される。ＲＡＮＡＰプロトコールは、３ＧＰＰ  ＴＳ２５．４１３において説明される。
【００７２】
ネットワークオペレータを登録された全部の移動局７０２に対して、永久データ（例えば、移動局７０２のユーザープロフィール）および一時的なデータ（例えば、移動局７０２の現在位置）は、ホーム位置登録（ＨＬＲ）７３８に格納される。移動局７０２への音声呼出の場合に、ＨＬＲ７３８は、移動局７０２の現在位置を決定するように問い合わせされる。ＭＳＣ７３０の訪問者位置登録（ＶＬＲ）７３６は、位置エリアのグループに関与し、その関与のエリアにおいて現在にあるそれらの移動局のデータを格納する。これは、より速いアクセスのための、ＨＬＲ７３８からＶＬＲ７３６まで伝送される永久の移動局データの一部分を含む。しかしながら、ＭＳＣ７３０のＶＬＲ７３６はまた、一時的な識別のようなローカルデータを割り当て得、かつ格納し得る。移動局７０２はまた、ＨＬＲ７３８によってシステムアクセスで認証される。
【００７３】
パケットデータは、ＳＧＳＮ７５０を通じて捜し出される。ＳＧＳＮ７５０は、ＧＰＲＳ／ＵＭＴＳネットワークにおいてＲＮＣとコアネットワークとの間のゲートウェイであり、その地理的サービスエリア内に移動局との間のデータパケットの送出に関与する。ＩｕＰＳインターフェース７４８は、ＲＮＣ７１０とＳＧＳＮ７５０との間に使用され、ＵＴＲＡＮ７２０とコアデータネットワークとの間に（典型的に）データトラフィックを運び、かつ信号を送るためのパケットスイッチ接続である。使用されたメインシグナリングプロトコールは、（前述の）ＲＡＮＡＰである。
【００７４】
ＳＧＳＮ７５０は、ＧｎインターフェースにわたってゲートウェイＧＰＲＳサポートノード（ＧＧＳＮ）７６０と通信する。ＧＧＳＮ７６０は、ＵＭＴＳ／ＧＰＲＳネットワークと他のネットワーク、例えば、インターネットまたはプライベートネットワークとの間のインターフェースである。ＧＧＳＮ７６０は、Ｇｉインターフェースにわたって公共データネットワークＰＤＮ７７０に接続される。
【００７５】
図８は、移動局（例えば、図１の移動局１０２、図６の移動局６００、または図７の移動局７０２）において受信されたメッセージに含まれるＧＭＩ  ＩＥを扱う図６のＧＭＩサポートモジュール６５９の例のインプリメンテーションのブロックダイヤグラムである。例示された例のＧＭＩサポートモジュール６５９は、メッセージ受信器８０２、ＧＭＩ抽出器８０４、およびセル選択器８０６を含む。特定のブロックは、ＧＭＩサポートモジュール６５９をインプリメントするように説明されるが、任意数のハードウェアおよび／またはソフトウェアブロックが使用され得る。
【００７６】
メッセージ受信器８０２は、移動局６００によって受信されたＧＭＩ  ＩＥを含むメッセージを受信する。例えば、メッセージ受信器８０２は、ＧＡ−ＲＣ  ＲＥＧＩＳＴＥＲ  ＡＣＣＥＰＴメッセージ、ＧＡ−ＲＣ  ＲＥＧＩＳＴＥＲ  ＵＰＤＡＴＥ  ＤＯＷＮＬＩＮＫメッセージ等を受信し得る。メッセージ受信器８０２は、受信されたメッセージをＧＭＩ抽出器８０４に伝送する。例えば、メッセージ受信器８０２は、移動局６００によって受信された全部のメッセージを受信し得、メッセージのコピーをＧＭＩ抽出器８０４に伝送し得、そしてメッセージを処理するために、メッセージのコピーをマイクロプロセッサ６３８に伝送し得る。代替的には、メッセージ受信器８０２は、移動局６００によって受信されたメッセージを監視し得、ＧＭＩ抽出器８０４に伝送するためのメッセージのコピーを取得し得る。
【００７７】
ＧＭＩ抽出器８０４は、メッセージ受信器８０２からメッセージを受信し、メッセージに含まれるＧＭＩ  ＩＥを抽出する。例えば、ＧＭＩ抽出器８０４は、メッセージを復号し得、メッセージを解読し得、埋め込まれたＧＭＩ  ＩＥを抽出し得、含まれたＧＭＩ  ＩＥを読み取り得、またはメッセージに含まれるＧＭＩ  ＩＥを得るために、任意の他のプロセスを行い得る。ＧＭＩ抽出器８０４は、抽出されたＧＭＩ  ＩＥをセル選択器８０６に伝送する。
【００７８】
例のセル選択器８０６は、セル選択器８０６が、ハンドオーバーが望まれる場合に、セルが測定され、かつＧＡＮ−Ｃ（例えば、増強したＧＡＮ−Ｃ１０８）を報告されることを制御することを可能にするために、移動局６００の処理部品（例えば、マイクロプロセッサ６３８）と通信連結される。セル選択器８０６は、ＧＭＩ抽出器８０４から受信されたＧＭＩ  ＩＥの表示に基づいて測定および報告を制御する。例えば、ＧＭＩ  ＩＥが、移動局６００が接続されるＧＡＮ−Ｃのみが２Ｇネットワークにハンドオーバーし得ることを示す場合に、セル／ＲＡＴ選択器８０６は、移動局６００のみに、ＧＡＮ−Ｃ  ２Ｇセルに関連付けられて測定させ、かつ報告させるように、移動局６００を制御する。例えば、セル選択器８０６は、利用可能なネットワークを検索し、または識別するために、移動局６００に対して移動局６００を監視し得る。セル選択器８０６は、移動局６００が、増強したＧＡＮ−Ｃが移動局６００をハンドオーバーできないセルを測定し、かつ報告するようにリソースを拡張することを防ぎ得る。例えば、セル選択器８０６は、移動局６００が、サポートされていないセルに対してスキャンすることを防ぎ得る。
【００７９】
図９は、増強したＧＡＮ−Ｃ７８６によって伝送されたメッセージにＧＭＩ  ＩＥを含む図７のＧＭＩコントローラ７８８の例のインプリメンテーションのブロックダイヤグラムである。例示された例のＧＭＩコントローラ７８８は、セル／ＲＡＴサポート決定器９０２と、ＧＭＩインクルーダ９０４とを含む。特定のブロックは、ＧＭＩコントローラ７８８をインプリメントするように説明されるが、任意数のハードウェアおよび／またはソフトウェアブロックが使用され得る。
【００８０】
例のセル／ＲＡＴサポート決定器９０２は、増強したＧＡＮ−Ｃ７８６と、その関連付けられたネットワークとのネットワークテクノロジー能力を決定する。例えば、セルサポート決定器９０２は、増強したＧＡＮ−Ｃ７８６が、特定のネットワークテクノロジーのみをサポートするネットワークに関連付けられることを決定し得る。代替的には、セルサポート決定器９０２は、特定のネットワークテクノロジーに対するネットワーク渋滞が酷すぎであることを決定し得、従って、特定のネットワークテクノロジーへのハンドオーバーを限定し得る。もう１つの例において、セルサポート決定器９０２は、使用のためにサポートされ、または望まれたネットワークテクノロジーを示すユーザーの入力を受信し得る。ＧＡＮ−Ｃ７８６によってサポートされ、または他に望まれるネットワークテクノロジーを決定するための任意のプロセスが使用され得る。セルサポート決定器９０２は、サポートされたネットワークテクノロジーについての情報をＧＭＩインクルーダ９０４に送信する。
【００８１】
例のＧＭＩインクルーダ９０４は、増強したＧＡＮ−Ｃ７８６のサポートまたは能力についての情報を受信し、かつ増強したＧＡＮ−Ｃ７８６から移動局７０２まで伝送されたメッセージにサポートまたは能力の表示を含む。例えば、ＧＭＩインクルーダ９０４は、例えば、ＧＡ−ＲＣ  ＲＥＧＩＳＴＥＲ  ＡＣＣＥＰＴメッセージ、ＧＡ−ＲＣ  ＲＥＧＩＳＴＥＲ  ＵＰＤＡＴＥ  ＤＯＷＮＬＩＮＫメッセージ等のような伝送されたメッセージにＧＭＩ  ＩＥを加え得る。例のＧＭＩインクルーダ９０４は、いつメッセージにＧＭＩ  ＩＥを含むかを決定するために、増強したＧＡＮ−Ｃ７８６の動作を監視し得る。代替的には、ＧＭＩインクルーダ９０４は、メッセージが伝送されるときに、メッセージにＧＭＩ  ＩＥを含むために、増強したＧＡＮ−Ｃ７８６のメッセージ送信器に関連してインプリメントされ得る。代替的には、ＧＭＩインクルーダ９０４がＧＭＩ  ＩＥ情報をメッセージに含むことを可能にする任意のインプリメンテーションが使用され得る。ＧＭＩインクルーダ９０４は、任意の方式でメッセージにＧＭＩ  ＩＥ情報を含み得る。例えば、ＧＭＩ  ＩＥまたは任意の他のタイプの増強したＧＡＮ−Ｃ７８６の能力の表示は、メッセージに挿入され得、メッセージに埋め込まれ得、メッセージに添付され得、メッセージに関連付けられ得、メッセージと共に伝送され得、または他にメッセージに含まれ得る。従って、ＧＭＩインクルーダ９０４は、ＧＭＩコントローラ７８８が、増強したＧＡＮ−Ｃ７８６の能力を移動局７０２に示すことを可能にする。
【００８２】
図１０は、本明細書に開示される装置および方法をインプリメントすることが可能である例の処理システム１０００のブロックダイヤグラムである。処理システム１０００は、例えば、移動局処理プラットフォーム、ネットワーク構成要素処理プラットフォーム、サーバー、パーソナルコンピュータ、パーソナルデジタルアシスタント（ＰＤＡ）、インターネットアプライアンス、モバイルフォン、または任意の他のタイプの計算デバイスに対応し得る。例えば、処理システム１０００は、移動局１０２、増強したＧＡＮ−Ｃ１０８、または本明細書に説明される任意の他の部品をインプリメントし得る。
【００８３】
即座の例のシステム１０００は、汎用プログラマブルプロセッサ、埋め込みプロセッサ、マイクロコントローラ等のようなプロセッサ１０１２を含む。プロセッサ１０１２は、ローカルメモリ１０１４を含み、ローカルメモリ１０１４および／または他のメモリデバイスにあるコート化された命令１０１６を実行する。プロセッサ１０１２は、他のことの間に、図４および図５において表されるプロセスを実行するために、マシン読み取り可能な命令を実行し得る。プロセッサ１０１２は、任意タイプの処理ユニット、例えば、Ｉｎｔｅｌ（登録商標）Ｃｅｎｔｒｉｎｏ（登録商標）ファミリのマイクロプロセッサ、Ｉｎｔｅｌ（登録商標）Ｐｅｎｔｉｕｍ（登録商標）ファミリのマイクロプロセッサ、Ｉｎｔｅｌ（登録商標）Ｉｔａｎｉｕｍ（登録商標）ファミリのマイクロプロセッサ、および／またはＩｎｔｅｌ（登録商標）ＸＳｃａｌｅ（登録商標）ファミリのマイクロプロセッサからの１つ以上のマイクロプロセッサ、ＡＲＭ（登録商標）ファミリのマイクロコントローラ、ＰＩＣ（登録商標）ファミリのマイクロコントローラ等からの１つ以上のマイクロコントローラであり得る。当然、他のファミリからの他のプロセッサも適当である。
【００８４】
プロセッサ１０１２は、バス１０２２を介して、揮発性メモリ１０１８と非揮発性メモリ１０２０とを含むメインメモリと通信している。揮発性メモリ１０１８は、静的ランダムアクセスメモリ（ＳＲＡＭ）、同期動的ランダムアクセスメモリ（ＳＤＲＡＭ）、動的ランダムアクセスメモリ（ＤＲＡＭ）、ＲＡＭＢＵＳ動的ランダムアクセスメモリ（ＲＤＲＡＭ）および／または任意の他のタイプのランダムアクセスメモリデバイスによってインプリメントされ得る。非揮発性メモリ１０２０は、フラッシュメモリおよび／または任意の他の所望のタイプのメモリデバイスによってインプリメントされ得る。メインメモリ１０１８、１０２０へのアクセスは、典型的に、メモリコントローラ（示されていない）によって制御される。
【００８５】
コンピュータ１０００はまた、インターフェース回路１０２４を含む。インターフェース回路１０２４は、任意のタイプのインターフェース基準、例えば、Ｅｔｈｅｒｎｅｔ（登録商標）インターフェース、ユニバーサルシリアルバス（ＵＳＢ）、および／または第３世代入力／出力（３ＧＩＯ）インターフェースによってインプリメントされ得る。
【００８６】
１つ以上の入力デバイス１０２６は、インターフェース回路１０２４に接続される。入力デバイス１０２６は、ユーザーがプロセッサ１０１２内にデータおよびコマンドを入れることを可能にする。入力デバイスは、例えば、キーボード、マウス、タッチスクリーン、トラックパッド、トラックボール、アイソポイントおよび／または音声認識システムによってインプリメントされ得る。
【００８７】
１つ以上の出力デバイス１０２８はまた、インターフェース回路１０２４に接続される。出力デバイス１０２８は、例えば、ディスプレイデバイス（例えば、液晶ディスプレイ、陰極線管ディスプレイ（ＣＲＴ））、プリンタおよび／またはスピーカによってインプリメントされ得る。従って、インターフェース回路１０２４は、典型的に、グラフィックドライバーカードを含む。
【００８８】
インターフェース回路１０２４はまた、ネットワーク（例えば、Ｅｔｈｅｒｎｅｔ（登録商標）接続、デジタル加入者ライン（ＤＳＬ）、電話線、同軸ケーブル、ＥＧＰＲＳコンプライアントシステムのようなセルラー電話システム等）を介して外部コンピュータとのデータ交換を容易にするために、通信デバイス、例えば、モデムまたはネットワークインターフェースカードを含む。
【００８９】
コンピュータ１０００はまた、ソフトウェアおよびデータを格納するための１つ以上のマス記憶デバイス１０３０を含む。このようなマス記憶デバイス１０３０の例は、フロッピー（登録商標）ディスクドライブ、ハードドライブディスク、コンパクトディスクドライブ、およびデジタルバーサタイルディスク（ＤＶＤ）ドライブを含む。
【００９０】
図１０のデバイスのようなシステムの、本明細書において説明される方法および／または装置をインプリメントするための代替物のように、本明細書において説明される方法および装置は、プロセッサおよび／またはＡＳＩＣ（特定用途の集積回路）のような構造に埋め込まれ得る。
【００９１】
最後、ある例の製造の方法、装置および品物が本明細書において説明されるが、本開示の有効範囲は、それらに限定されない。それに反して、本開示は、文字通りまたは同等物の原理の下で添付した請求項の範囲内に相応しく入る全部の製造の方法、装置および品物をカバーする。
【図１】
0005422738.tif 000008
【図２】
0005422738.tif 000009
【図３】
0005422738.tif 000010
【図４】
0005422738.tif 000011
【図５】
0005422738.tif 000012
【図８】
0005422738.tif 000013
【図９】
0005422738.tif 000014
【図１０】
0005422738.tif 000015
【図６】
0005422738.tif 000016
【図７】
0005422738.tif 000017